(57)【要約】【課題】車内、機内、店内等の特定エリア内のユーザに向けて発信される音声情報を、その特定エリア内においてイヤホンが接続されているユーザ端末に対してプッシュ配信する。【解決手段】音声プッシュ配信システム１０００の音声プッシュ配信サーバ１は、音声情報と特定エリアの識別情報とを含む配信情報を取得し、特定エリアに位置するユーザ端末５のうち、ユーザ登録情報ＤＢ１００に登録しているユーザ端末５を抽出し、抽出したユーザ端末５に向けて、イヤホン接続判定要求を送信する。特定エリアに位置するユーザ端末５は、イヤホンが接続されているか否かを判定し、イヤホンが接続されている場合に、音声配信要求を音声プッシュ配信サーバ１に送信することにより、音声情報のプッシュ配信を受ける。【選択図】図２
2015191399.tif 000002
【特許請求の範囲】
【請求項１】
特定エリア内のユーザに向けて発信される音声情報を取得し、当該特定エリア内に位置するユーザ端末に前記取得した音声情報をプッシュ配信する音声プッシュ配信サーバと、前記ユーザ端末とを備える音声プッシュ配信システムであって、
前記音声プッシュ配信サーバは、
前記音声情報のプッシュ配信を受けようとするユーザのユーザ端末についての、当該ユーザ端末の識別情報であるユーザ端末識別情報を含むユーザ登録情報が登録されるユーザ登録情報ＤＢを記憶する記憶部と、
前記音声情報と前記特定エリアの識別情報とを含む配信情報を取得する配信情報取得部と、
前記特定エリアの識別情報に基づき探索された前記特定エリアに位置するユーザ端末のユーザ端末識別情報を取得し、前記特定エリアに位置するユーザ端末のうち、前記取得したユーザ端末識別情報が前記ユーザ登録情報ＤＢに登録されているユーザ端末を抽出し、前記抽出したユーザ端末に対し、イヤホンが接続されているか否かの判定を要求するイヤホン接続判定要求を送信し、前記イヤホン接続判定要求を送信したユーザ端末から音声配信要求を受信した場合に、そのユーザ端末を前記音声情報の配信先として決定する配信先決定部と、
前記配信先決定部が決定した配信先となるユーザ端末に、前記取得した音声情報をプッシュ配信する音声プッシュ配信部と、を備え、
前記ユーザ端末は、
前記イヤホン接続判定要求を受信した場合に、自身のユーザ端末にイヤホンが接続されているか否かを判定し、イヤホンが接続されていると判定した場合に、前記音声配信要求を前記音声プッシュ配信サーバに送信するイヤホン接続判定部と、
前記音声プッシュ配信サーバがプッシュ配信した音声情報を、ストリーミング再生、または、自動着信することにより、当該音声情報を前記イヤホンに出力する配信音声情報処理部と、を備えること
を特徴とする音声プッシュ配信システム。
【請求項２】
前記音声プッシュ配信サーバの前記ユーザ登録情報ＤＢには、前記ユーザ登録情報として、前記ユーザ端末毎に、配信を要求する音声情報の内容の種別を示す第１の配信内容種別情報が、さらに登録されており、
前記配信情報取得部は、前記特定エリア内のユーザに向けて発信される前記音声情報の内容の種別を示す第２の配信内容種別情報を、さらに含んだ前記配信情報を取得し、
前記配信先決定部は、前記特定エリアに位置するユーザ端末のうち、前記取得したユーザ端末識別情報が前記ユーザ登録情報ＤＢに登録されているユーザ端末を抽出する処理の後に、前記抽出したユーザ端末についての前記ユーザ登録情報ＤＢに登録された前記第１の配信内容種別情報を参照し、前記配信情報に含まれる前記第２の配信内容種別情報と一致する場合に、当該ユーザ端末を配信対象のユーザ端末として選択し、前記選択したユーザ端末に前記イヤホン接続判定要求を送信すること
を特徴とする請求項１に記載の音声プッシュ配信システム。
【請求項３】
特定エリア内のユーザに向けて発信される音声情報を取得し、当該特定エリア内に位置するユーザ端末に前記取得した音声情報をプッシュ配信する音声プッシュ配信サーバと、前記ユーザ端末とを備える音声プッシュ配信システムの音声プッシュ配信方法であって、
前記音声プッシュ配信サーバは、
前記音声情報のプッシュ配信を受けようとするユーザのユーザ端末についての、当該ユーザ端末の識別情報であるユーザ端末識別情報を含むユーザ登録情報が登録されるユーザ登録情報ＤＢを記憶する記憶部を備えており、
前記音声情報と前記特定エリアの識別情報とを含む配信情報を取得し、
前記特定エリアの識別情報に基づき探索された前記特定エリアに位置するユーザ端末のユーザ端末識別情報を取得し、前記特定エリアに位置するユーザ端末のうち、前記取得したユーザ端末識別情報が前記ユーザ登録情報ＤＢに登録されているユーザ端末を抽出し、前記抽出したユーザ端末に対し、イヤホンが接続されているか否かの判定を要求するイヤホン接続判定要求を送信し、前記イヤホン接続判定要求を送信したユーザ端末から音声配信要求を受信した場合に、そのユーザ端末を前記音声情報の配信先として決定し、
前記決定した配信先となるユーザ端末に、前記取得した音声情報をプッシュ配信する処理を実行し、
前記ユーザ端末は、
前記イヤホン接続判定要求を受信した場合に、自身のユーザ端末にイヤホンが接続されているか否かを判定し、イヤホンが接続されていると判定した場合に、前記音声配信要求を前記音声プッシュ配信サーバに送信し、
前記音声プッシュ配信サーバがプッシュ配信した音声情報を、ストリーミング再生、または、自動着信することにより、当該音声情報を前記イヤホンに出力する処理を実行すること
を特徴とする音声プッシュ配信方法。
【請求項４】
前記音声プッシュ配信サーバの前記ユーザ登録情報ＤＢには、前記ユーザ登録情報として、前記ユーザ端末毎に、配信を要求する音声情報の内容の種別を示す第１の配信内容種別情報が、さらに登録されており、
前記音声プッシュ配信サーバは、
前記特定エリア内のユーザに向けて発信される前記音声情報の内容の種別を示す第２の配信内容種別情報を、さらに含んだ前記配信情報を取得し、
前記特定エリアに位置するユーザ端末のうち、前記取得したユーザ端末識別情報が前記ユーザ登録情報ＤＢに登録されているユーザ端末を抽出する処理の後に、前記抽出したユーザ端末についての前記ユーザ登録情報ＤＢに登録された前記第１の配信内容種別情報を参照し、前記配信情報に含まれる前記第２の配信内容種別情報と一致する場合に、当該ユーザ端末を配信対象のユーザ端末として選択し、前記選択したユーザ端末に前記イヤホン接続判定要求を送信すること
を特徴とする請求項３に記載の音声プッシュ配信方法。
【発明の詳細な説明】
【技術分野】
【０００１】
本発明は、音声情報をユーザ端末にプッシュ配信する音声プッシュ配信システムおよび音声プッシュ配信方法に関する。
【背景技術】
【０００２】
スマートフォンやタブレット端末等のユーザ端末や、電話回線を利用した固定電話等において、サーバ側から情報を自動的に送信するプッシュ型の情報配信技術が知られている。
例えば、非特許文献１に記載の技術（プッシュ通知）では、ユーザ端末にインストールされたアプリケーションと連携し、ユーザ端末に情報をプッシュ配信する。そして、ユーザ端末側では、情報を受信したことをバナーやサウンド等で、ユーザに知らせることができる。
【０００３】
また、非特許文献２に記載の技術（オフトーク通信サービス）では、既存の電話網（加入者回線）の未利用の時間に、音声情報をセンタ側から交換局を経由してユーザ宅の電話端末に片方向で配信する。このオフトーク通信によれば、災害時の緊急情報等を、ユーザ宅内の電話端末等に備わるスピーカから自動で配信することができる。
【先行技術文献】
【非特許文献】
【０００４】
【非特許文献１】「Android開発ガイド」、［online］、［平成26年3月17日検索］、インターネット<ＵＲＬ：http://www.techdoctranslator.com/android/guide/google/gcm/gcm>
【非特許文献２】「オフトーク通信サービスを利用するための技術参考資料 第2.1版」、［online］、2013年12月2日、西日本電信電話株式会社、［平成26年3月17日検索］、インターネット<ＵＲＬ：http://www.ntt-west.co.jp/gisanshi/offtalk/pdf/offtalk.pdf>
【発明の概要】
【発明が解決しようとする課題】
【０００５】
スマートフォン等のユーザ端末が普及し、車内（電車・列車等の鉄道車両内やバス等の車内を総称して「車内」と称する。）や機内（飛行機内）、デパート等の店舗内や特定の店舗周辺（以下、「店内」と称する。）において、イヤホン等により音楽等の音声を聴きながら移動するユーザが数多く存在する。しかしながら、イヤホン（以下、ヘッドホン等を含む、耳に装着して音声情報を出力する機器を総称して「イヤホン」と称する。）を装着してスマートフォン等のユーザ端末において音楽等を聴いているときは、車内や機内、店内等のアナウンスが聞こえにくく、そのアナウンスに気付かないことがある。また、気付いたとしても、アナウンスを聞くために、イヤホンをはずさなければならない。よって、車内や機内等で流れる緊急情報（車両故障や天候・事故による遅延情報等）や、店内にいる人のみに対する特別なサービス情報（店内のイベント開始情報や、時間限定のディスカウント情報等）を、イヤホンで音楽等を聴いていることにより、聞き逃すおそれがあった。
【０００６】
非特許文献１に記載の技術（プッシュ通知）では、バナーやサウンド等により、事前に設定した情報をユーザ端末に配信して知らせることはできるが、事前に設定されていないリアルタイムな音声情報をユーザ端末に向けて配信することはできない。また、Ｗｉ−Ｆｉ（登録商標）やＧＰＳ（Global Positioning System）等を利用した測位技術により、特定の基地局（Ｗｉ−Ｆｉアクセスポイント等）の範囲内に位置するユーザ端末に情報を配信することは可能であるが、イヤホンを接続中のユーザ端末（イヤホンを装着して音楽等を聴いているユーザ）に限って配信することはできない。
【０００７】
また、非特許文献２に記載の技術（オフトーク通信サービス）では、リアルタイムな音声情報を、宅内の電話端末に対して配信することは可能であるが、車内、機内、店内等に位置するユーザ端末に対して、音声情報を配信することはできない。
【０００８】
このような背景に鑑みて本発明がなされたのであり、本発明は、車内、機内、店内等の特定エリア内のユーザに向けて発信される音声情報を、その特定エリア内においてイヤホンが接続されているユーザ端末に対してプッシュ配信することができる、音声プッシュ配信システムおよび音声プッシュ配信方法を提供することを課題とする。
【課題を解決するための手段】
【０００９】
前記した課題を解決するため、請求項１に記載の発明は、特定エリア内のユーザに向けて発信される音声情報を取得し、当該特定エリア内に位置するユーザ端末に前記取得した音声情報をプッシュ配信する音声プッシュ配信サーバと、前記ユーザ端末とを備える音声プッシュ配信システムであって、前記音声プッシュ配信サーバが、前記音声情報のプッシュ配信を受けようとするユーザのユーザ端末についての、当該ユーザ端末の識別情報であるユーザ端末識別情報を含むユーザ登録情報が登録されるユーザ登録情報ＤＢを記憶する記憶部と、前記音声情報と前記特定エリアの識別情報とを含む配信情報を取得する配信情報取得部と、前記特定エリアの識別情報に基づき探索された前記特定エリアに位置するユーザ端末のユーザ端末識別情報を取得し、前記特定エリアに位置するユーザ端末のうち、前記取得したユーザ端末識別情報が前記ユーザ登録情報ＤＢに登録されているユーザ端末を抽出し、前記抽出したユーザ端末に対し、イヤホンが接続されているか否かの判定を要求するイヤホン接続判定要求を送信し、前記イヤホン接続判定要求を送信したユーザ端末から音声配信要求を受信した場合に、そのユーザ端末を前記音声情報の配信先として決定する配信先決定部と、前記配信先決定部が決定した配信先となるユーザ端末に、前記取得した音声情報をプッシュ配信する音声プッシュ配信部と、を備え、前記ユーザ端末が、前記イヤホン接続判定要求を受信した場合に、自身のユーザ端末にイヤホンが接続されているか否かを判定し、イヤホンが接続されていると判定した場合に、前記音声配信要求を前記音声プッシュ配信サーバに送信するイヤホン接続判定部と、前記音声プッシュ配信サーバがプッシュ配信した音声情報を、ストリーミング再生、または、自動着信することにより、当該音声情報を前記イヤホンに出力する配信音声情報処理部と、を備えることを特徴とする音声プッシュ配信システムとした。
【００１０】
また、請求項３に記載の発明は、特定エリア内のユーザに向けて発信される音声情報を取得し、当該特定エリア内に位置するユーザ端末に前記取得した音声情報をプッシュ配信する音声プッシュ配信サーバと、前記ユーザ端末とを備える音声プッシュ配信システムの音声プッシュ配信方法であって、前記音声プッシュ配信サーバが、前記音声情報のプッシュ配信を受けようとするユーザのユーザ端末についての、当該ユーザ端末の識別情報であるユーザ端末識別情報を含むユーザ登録情報が登録されるユーザ登録情報ＤＢを記憶する記憶部を備えており、前記音声情報と前記特定エリアの識別情報とを含む配信情報を取得し、前記特定エリアの識別情報に基づき探索された前記特定エリアに位置するユーザ端末のユーザ端末識別情報を取得し、前記特定エリアに位置するユーザ端末のうち、前記取得したユーザ端末識別情報が前記ユーザ登録情報ＤＢに登録されているユーザ端末を抽出し、前記抽出したユーザ端末に対し、イヤホンが接続されているか否かの判定を要求するイヤホン接続判定要求を送信し、前記イヤホン接続判定要求を送信したユーザ端末から音声配信要求を受信した場合に、そのユーザ端末を前記音声情報の配信先として決定し、前記決定した配信先となるユーザ端末に、前記取得した音声情報をプッシュ配信する処理を実行し、前記ユーザ端末が、前記イヤホン接続判定要求を受信した場合に、自身のユーザ端末にイヤホンが接続されているか否かを判定し、イヤホンが接続されていると判定した場合に、前記音声配信要求を前記音声プッシュ配信サーバに送信し、前記音声プッシュ配信サーバがプッシュ配信した音声情報を、ストリーミング再生、または、自動着信することにより、当該音声情報を前記イヤホンに出力する処理を実行することを特徴とする音声プッシュ配信方法とした。
【００１１】
このようにすることで、音声プッシュ配信システムの音声プッシュ配信サーバは、特定エリア内に位置するユーザ端末のうち、予めユーザ登録情報ＤＢに登録されたユーザ端末を抽出し、抽出したユーザ端末に対し、イヤホン接続判定要求を送信する。そして、音声プッシュ配信サーバは、イヤホンが接続されていると判定したユーザ端末から音声配信要求を受信し、当該ユーザ端末に音声情報をプッシュ配信することができる。
これにより、音声プッシュ配信システムは、例えば、車内、機内、店内等の特定エリア内のユーザ端末に向けて発信される音声情報を、その特定エリア内に位置し、かつ、イヤホンが接続されているユーザ端末に対してプッシュ配信することができる。
【００１２】
請求項２に記載の発明は、前記音声プッシュ配信サーバの前記ユーザ登録情報ＤＢには、前記ユーザ登録情報として、前記ユーザ端末毎に、配信を要求する音声情報の内容の種別を示す第１の配信内容種別情報が、さらに登録されており、前記配信情報取得部が、前記特定エリア内のユーザに向けて発信される前記音声情報の内容の種別を示す第２の配信内容種別情報を、さらに含んだ前記配信情報を取得し、前記配信先決定部が、前記特定エリアに位置するユーザ端末のうち、前記取得したユーザ端末識別情報が前記ユーザ登録情報ＤＢに登録されているユーザ端末を抽出する処理の後に、前記抽出したユーザ端末についての前記ユーザ登録情報ＤＢに登録された前記第１の配信内容種別情報を参照し、前記配信情報に含まれる前記第２の配信内容種別情報と一致する場合に、当該ユーザ端末を配信対象のユーザ端末として選択し、前記選択したユーザ端末に前記イヤホン接続判定要求を送信することを特徴とする請求項１に記載の音声プッシュ配信システムとした。
【００１３】
また、請求項４に記載の発明は、前記音声プッシュ配信サーバの前記ユーザ登録情報ＤＢには、前記ユーザ登録情報として、前記ユーザ端末毎に、配信を要求する音声情報の内容の種別を示す第１の配信内容種別情報が、さらに登録されており、前記音声プッシュ配信サーバが、前記特定エリア内のユーザに向けて発信される前記音声情報の内容の種別を示す第２の配信内容種別情報を、さらに含んだ前記配信情報を取得し、前記特定エリアに位置するユーザ端末のうち、前記取得したユーザ端末識別情報が前記ユーザ登録情報ＤＢに登録されているユーザ端末を抽出する処理の後に、前記抽出したユーザ端末についての前記ユーザ登録情報ＤＢに登録された前記第１の配信内容種別情報を参照し、前記配信情報に含まれる前記第２の配信内容種別情報と一致する場合に、当該ユーザ端末を配信対象のユーザ端末として選択し、前記選択したユーザ端末に前記イヤホン接続判定要求を送信することを特徴とする請求項３に記載の音声プッシュ配信方法とした。
【００１４】
この音声プッシュ配信システムによれば、音声情報の内容の種別に応じて、その音声情報の配信を受けるか否かをユーザが予め選択することできる。よって、例えば、緊急情報以外のユーザが不要と考える音声情報については、音声プッシュ配信サーバから配信させず、緊急の音声情報についてユーザ端末にプッシュ配信させることができる。
【発明の効果】
【００１５】
本発明によれば、車内、機内、店内等の特定エリア内のユーザに向けて発信される音声情報を、その特定エリア内においてイヤホンが接続されているユーザ端末に対してプッシュ配信する、音声プッシュ配信システムおよび音声プッシュ配信方法を提供することができる。
【図面の簡単な説明】
【００１６】
【図１】本発明の概要を説明するための図である。
【図２】本実施形態に係る音声プッシュ配信システムの全体構成と処理概要を説明するための図である。
【図３】本実施形態に係る音声プッシュ配信サーバの構成例を示す機能ブロック図である。
【図４】本実施形態に係るユーザ登録情報ＤＢのデータ構成例を示す図である。
【図５】本実施形態に係る端末検知センサ情報のデータ構成例を示す図である。
【図６】本実施形態に係るユーザ端末の構成例を示す機能ブロック図である。
【図７】本実施形態に係る音声プッシュ配信システムの処理の流れを示すシーケンス図である。
【図８】本実施形態の変形例に係るユーザ端末の構成例を示す機能ブロック図である。
【図９】本実施形態の変形例に係る音声プッシュ配信サーバの構成例を示す機能ブロック図である。
【図１０】本実施形態の変形例に係るユーザ登録情報ＤＢのデータ構成例を示す図である。
【発明を実施するための形態】
【００１７】
次に、本発明を実施するための形態（以下、「本実施形態」という。）における音声プッシュ配信システム１０００等について説明する。
【００１８】
＜システム構成と処理概要＞
本実施形態に係る音声プッシュ配信システム１０００では、車内、機内、店内等の特定エリア内のユーザに向けて発信される音声情報を、その特定エリア内においてイヤホンが接続されているユーザ端末５に対してプッシュ配信する。例えば、図１に示すように、電車内において、スマートフォン等のユーザ端末５にイヤホンを接続して音楽を聴いているユーザに対し、電車の乗務員等が電車内の乗客に向けて発信する音声情報を、音声プッシュ配信サーバ１を介して、イヤホンが接続されたユーザ端末５に送信し、イヤホンを通じてその音声情報をユーザに聞かせることができる。
【００１９】
図２は、本実施形態に係る音声プッシュ配信システム１０００の全体構成と処理概要を説明するための図である。
図２に示すように、本実施形態に係る音声プッシュ配信システム１０００は、音声入力装置２等から音声情報を取得し、取得した音声情報をプッシュ配信する音声プッシュ配信サーバ１と、特定エリア内に位置するユーザ端末５を探索する端末検知センサ３と、基地局４を介して音声プッシュ配信サーバ１からの音声情報を受信するユーザ端末５とを含んで構成される。
【００２０】
この音声プッシュ配信サーバ１は、本願発明に特徴的な構成として、音声入力装置２等から音声情報を含む配信情報を取得し、特定エリア内に位置し、かつ、イヤホンが接続されたユーザ端末５を配信先に決定する配信先決定部１４０（詳細は後記）と、取得した音声情報をイヤホンが接続されたユーザ端末５にプッシュ配信する音声プッシュ配信部１５０（詳細は後記）とを備える。
【００２１】
また、ユーザ端末５は、スマートフォンやタブレット端末等であり、不図示のアプリケーションプログラム（以下、「アプリ」と称する。）を配信するサーバ（アプリ配信サーバ）から、本願発明の特徴的な構成である音声プッシュ配信アプリ（後記する「音声プッシュ配信アプリ実行部５４０」（詳細は後記））を取得し、その音声プッシュ配信アプリを実行することにより、ユーザＩＤやユーザ端末識別情報等を予め音声プッシュ配信サーバ１に登録しておく。そして、ユーザ端末５は、音声プッシュ配信サーバ１からイヤホン接続判定要求を受信すると、音声プッシュ配信アプリ実行部５４０内のイヤホン接続判定部５４２が、イヤホンが接続されているか否かを判定し、接続されていると判定した場合に音声配信要求を音声プッシュ配信サーバ１に送信することにより、音声情報のプッシュ配信を受信する。
以下、図２を参照して、音声プッシュ配信システム１０００の処理概要を説明する。
【００２２】
まず、音声プッシュ配信アプリをアプリ配信サーバ（不図示）からダウンロードしたユーザ端末５は、当該音声プッシュ配信アプリを実行することにより、音声プッシュ配信アプリ実行部５４０を起動させる。そして、ユーザ端末５が、ユーザＩＤやそのユーザ端末５に固有なユーザ端末識別情報（ＩＰ（Internet Protocol）アドレスや電話番号等）を含むユーザ登録情報を、音声プッシュ配信サーバ１に送信することにより、音声プッシュ配信サーバ１が、そのユーザ登録情報をユーザ登録情報ＤＢ（DataBase）１００に記憶する（ステップＳ１：ユーザ登録）。
【００２３】
次に、音声プッシュ配信サーバ１は、音声入力装置２等から、特定エリア内に発信する音声情報と当該特定エリアの識別情報とを含む配信情報を受信する（ステップＳ２）。
【００２４】
続いて、音声プッシュ配信サーバ１の配信先決定部１４０は、受信した配信情報で示される特定エリアに設置された端末検知センサ３に向けて、その特定エリア内に位置するユーザ端末５の探索を要求する端末探索要求を送信する（ステップＳ３）。
【００２５】
端末探索要求を受信した、その特定エリアに設置された端末検知センサ３は、特定エリア内端末探索部３０により、その特定エリア内に位置する端末探索を実行する（ステップＳ４）。そして、端末検知センサ３は、その特定エリア内に位置するユーザ端末５を一意に識別するためのユーザ端末識別情報（ＩＰアドレス等）を取得し、そのユーザ端末識別情報を音声プッシュ配信サーバ１に送信する（ステップＳ５）。
【００２６】
そして、音声プッシュ配信サーバ１の配信先決定部１４０は、受信したユーザ端末識別情報に示されるユーザ端末５の中から、ユーザ登録情報ＤＢ１００に登録しているユーザ端末５を抽出する。続いて、音声プッシュ配信サーバ１の配信先決定部１４０は、抽出したユーザ端末５に向け、基地局４を介して、イヤホン接続判定要求を送信する（ステップＳ６）。
【００２７】
イヤホン接続判定要求を受信したユーザ端末５のイヤホン接続判定部５４２は、自身のユーザ端末５にイヤホンが接続されているか否かを判定する（ステップＳ７）。そして、ユーザ端末５のイヤホン接続判定部５４２は、イヤホンが接続されている場合に、音声情報の配信を要求する音声配信要求を、音声プッシュ配信サーバ１に送信する。
【００２８】
音声プッシュ配信サーバ１の配信先決定部１４０は、音声配信要求を送信してきたユーザ端末５を、配信先のユーザ端末５として決定する（ステップＳ８）。そして、音声プッシュ配信サーバ１の音声プッシュ配信部１５０は、配信先決定部１４０が決定した配信先のユーザ端末５に向けて、ステップＳ２において受信した音声情報をプッシュ配信する（ステップＳ９）。音声情報を受信したユーザ端末５は、受信した音声情報を、イヤホンを介して出力する。
【００２９】
このようにすることにより、本実施形態に係る音声プッシュ配信システム１０００は、車内、機内、店内等の特定エリア内のユーザに向けて発信される音声情報を、その特定エリア内においてイヤホンが接続されているユーザ端末５に対してプッシュ配信することができる。
【００３０】
＜各装置の構成＞
次に、本実施形態に係る音声プッシュ配信システム１０００を構成する各装置の構成について説明する。
【００３１】
≪音声プッシュ配信サーバ≫
図３は、本実施形態に係る音声プッシュ配信サーバ１の構成例を示す機能ブロック図である。音声プッシュ配信サーバ１は、音声入力装置２等から音声情報と特定エリアの識別情報とを含む配信情報を取得し、特定エリア内に位置し、かつ、イヤホンが接続されたユーザ端末５を配信先に決定して、そのユーザ端末５に、取得した音声情報をプッシュ配信する。
この音声プッシュ配信サーバ１は、図３に示すように、制御部１０と、通信部１１と、入出力部１２と、記憶部１３とを備えて構成される。
【００３２】
通信部１１は、通信回線を介して情報の送受信を行う通信インタフェースにより構成され、ＩＰ等に基づき、音声入力装置２や、端末検知センサ３、各ユーザ端末５等との間の通信を実現する。
【００３３】
入出力部１２は、図示を省略したキーボード等の入力手段やモニタ等の出力手段等との間で情報の入出力を行う入出力インタフェースにより構成される。
【００３４】
制御部１０は、音声プッシュ配信サーバ１全体の制御を司り、入力情報処理部１１０、ユーザ登録部１２０、配信情報取得部１３０、配信先決定部１４０、音声プッシュ配信部１５０および出力情報処理部１６０を含んで構成される。
【００３５】
入力情報処理部１１０は、通信部１１を介して、ユーザ端末５からユーザ登録情報を受信し、ユーザ登録部１２０に引き渡す。また、入力情報処理部１１０は、通信部１１を介して、音声入力装置２等から音声情報と特定エリアの識別情報とを含む配信情報を取得し、配信情報取得部１３０に引き渡す。
【００３６】
ユーザ登録部１２０は、ユーザ端末５が送信したユーザ登録情報を取得し、記憶部１３内のユーザ登録情報ＤＢ１００（図４）に記憶する。ここで、ユーザ登録情報は、音声プッシュ配信アプリをダウンロードしたユーザ端末５が、音声情報のプッシュ配信（音声プッシュ配信サービス）を受けるために予めサーバ側に登録する情報であり、ユーザＩＤやそのユーザ端末５のユーザ端末識別情報が含まれる。
【００３７】
図４は、本実施形態に係るユーザ登録情報ＤＢ１００のデータ構成例を示す図である。図４に示すように、ユーザ登録情報ＤＢ１００には、各ユーザのユーザＩＤ１０１に対応付けて、アドレス１０２や電話番号１０３等のユーザ端末識別情報が格納される。ここで、アドレス１０２は、例えば、ユーザ端末５のＩＰアドレスである。また、電話番号１０３は、ユーザ端末５がスマートフォン等のように携帯電話機能を備える場合に、その携帯電話番号が格納される。
【００３８】
図３に戻り、配信情報取得部１３０は、音声入力装置２等から、特定エリア内に発信する音声情報と当該特定エリアの識別情報とを含む配信情報を取得する。そして、配信情報取得部１３０は、取得した配信情報のうち特定エリアの識別情報を、配信先決定部１４０に出力する。
【００３９】
配信先決定部１４０は、配信情報取得部１３０から受信した特定エリアの識別情報に基づき、記憶部１３内の端末検知センサ情報２００（図５）を参照し、特定エリアの識別情報に対応する端末検知センサ３のアドレス情報を取得する。
【００４０】
図５は、本実施形態に係る端末検知センサ情報２００のデータ構成例を示す図である。図５に示すように、端末検知センサ情報２００には、特定エリアの識別情報２０１に対応付けて、端末検知センサ３に固有なＩＤである端末検知センサＩＤ２０２とその端末検知センサ３のアドレス２０３とが格納される。
【００４１】
ここで、特定エリアの識別情報２０１は、音声プッシュ配信サービスを提供する特定エリアを識別する情報であり、例えば、ある電車内、機内、店舗内等の特定のエリアを示す。また、端末検知センサＩＤ２０２は、特定エリアに予め設置されている端末検知センサ３の識別情報である。例えば、ある電車内に設置された端末検知センサ３や、ある機内に設置された端末検知センサ３、ある店舗内に設置された端末検知センサ３等を識別する情報である。アドレス２０３には、端末検知センサＩＤ２０２で示される端末検知センサ３のアドレス（例えば、ＩＰアドレス）が格納される。
【００４２】
なお、この特定エリアの識別情報２０１に対応付けられる端末検知センサＩＤ２０２は、１つに限定されず、１つの特定エリアの識別情報２０１に対し、複数の端末検知センサＩＤ２０２とそのアドレス２０３が対応付けられていてもよい。例えば、電車内の各車両に１台ずつ端末検知センサ３が設置されている場合には、１つの特定エリア（電車の全車両）に設定された各車両内の端末検知センサ３それぞれの端末検知センサＩＤ２０２とそのアドレス２０３とが格納される。
また、この端末検知センサ情報２００は、音声プッシュ配信サービスの提供前に予め音声プッシュ配信サーバ１の記憶部１３に記憶しておく。
【００４３】
図３に戻り、配信先決定部１４０は、端末検知センサ情報２００を参照して、特定エリアの識別情報２０１に対応する端末検知センサ３（端末検知センサＩＤ２０２）のアドレス２０３を取得し、特定エリアに設置されている端末検知センサ３に向けて、その特定エリア内に位置するユーザ端末５の探索を要求する端末探索要求を送信する。
【００４４】
そして、配信先決定部１４０は、端末検知センサ３から特定エリア内に位置するユーザ端末５のユーザ端末識別情報を受信し、そのユーザ端末識別情報に示されるユーザ端末５が、ユーザ登録情報ＤＢ１００に登録されているか否かを判定することにより、登録されているユーザ端末５を抽出する。
続いて、配信先決定部１４０は、抽出したユーザ端末５に向けて、イヤホンが接続されているか否かの判定を要求するイヤホン接続判定要求を送信する。
【００４５】
次に、配信先決定部１４０は、イヤホンが接続されているユーザ端末５から送信されてきた音声配信要求を受信し、音声配信要求を送信してきたユーザ端末５を配信先のユーザ端末５に決定する。
【００４６】
音声プッシュ配信部１５０は、配信先決定部１４０が決定した配信先のユーザ端末５に向けて、配信情報取得部１３０が取得した音声情報をプッシュ配信する。このとき、音声プッシュ配信部１５０は、ユーザ端末５との間でセッションを確立し音声情報をストリーミング配信したり、ユーザ端末５との間の携帯電話通信網を利用して通話を確立したりすることにより音声情報を配信する。
【００４７】
出力情報処理部１６０は、配信先決定部１４０が生成した、端末探索要求やイヤホン接続判定要求を、通信部１１を介して、端末検知センサ３やユーザ端末５に送信するとともに、音声情報をユーザ端末５に向けて送信する。
【００４８】
記憶部１３は、ハードディスクやフラッシュメモリ、ＲＡＭ（Random Access Memory）等の記憶手段からなり、前記した、ユーザ登録情報ＤＢ１００や端末検知センサ情報２００等が記憶される。
【００４９】
なお、制御部１０は、例えば、記憶部１３に格納されたプログラムをＣＰＵ（Central Processing Unit）がメインメモリであるＲＡＭに展開し実行することで実現される。
【００５０】
≪端末検知センサ≫
端末検知センサ３（図２参照）は、特定エリア内端末探索部３０を備え、数ｍから数１０ｍの範囲内の特定エリアに存在するユーザ端末５を探索する。そして、この端末検知センサ３は、特定エリア内に存在するユーザ端末５の探索結果として、そのユーザ端末５のユーザ端末識別情報（アドレス等）を取得し、音声プッシュ配信サーバ１に送信する。なお、この端末検知センサ３が実行する、特定エリア内に位置するユーザ端末５の探索機能は既存技術であり、例えば、ユーザ端末から発信されるＷｉ−Ｆｉを検知するＷｉ−Ｆｉ検知センサ（http://www.bemap.co.jp/service/lan.html）を利用して実現することができる。
【００５１】
≪基地局≫
基地局４（図２参照）は、Ｗｉ−Ｆｉアクセスポイントや、携帯電話通信網（例えば、３Ｇ）の基地局等であり、ユーザ端末５との間において無線で情報の送受信を行う。なお、基地局４は、既存技術であるので説明は省略する。
【００５２】
≪音声入力装置≫
音声入力装置２は、受け付けた音声（アナウンス）を音声情報に変換し、音声プッシュ配信サーバ１に送信する装置であり、変換した音声情報と、その音声を発信する特定エリアの識別情報とを配信情報として音声プッシュ配信サーバ１に送信する機能を備えている装置であればよい。なお、特定エリアの識別情報は、前記したように、端末検知センサ３と対応付けて予め設定され、ある電車内や機内、店舗内のように、特定エリアを一意に識別するための情報である。
例えば、乗務員が車内の乗客にアナウンスする車内放送装置等に、この音声入力装置２が備える、音声情報と特定エリアの識別情報とを音声プッシュ配信サーバ１に送信する機能を組み込んで構成するようにする。
また、音声入力装置２等により音声プッシュ配信サーバ１に送信される音声情報は、事前に設定されていないリアルタイムな音声情報でもよいし、予め車内放送装置等に記憶されている音声情報であっても構わない。
【００５３】
≪ユーザ端末≫
図６は、本実施形態に係るユーザ端末５の構成例を示す機能ブロック図である。ユーザ端末５は、スマートフォンやタブレット端末等であり、アプリケーションプログラムをアプリ提供サーバ（不図示）からダウンロードし、そのアプリを実行する機能を備えるとともに、音声情報を音声出力端子（後記する「音声出力部５４」）に接続されたイヤホンに出力する機能を備える。このユーザ端末５は、アプリ提供サーバから音声プッシュ配信アプリをダウンロードすることにより、本願発明に特徴的な後記する音声プッシュ配信アプリ実行部５４０を機能させ、音声情報のプッシュ配信を実現させる。
このユーザ端末５は、図６に示すように、制御部５０と、通信部５１と、入出力部５２と、表示部５３と、音声出力部５４と、記憶部５５とを備える。
【００５４】
通信部５１は、通信回線を介して情報の送受信を行う通信インタフェースにより構成され、基地局４等を介して、音声プッシュ配信サーバ１等との間の通信を実現する。
入出力部５２は、図示を省略した、タッチパネルやキーボート等の入力手段や、スピーカ等の出力手段との間で情報の入出力を行う入出力インタフェースにより構成される。
表示部５３は、モニタ等の出力手段であり、音声プッシュ配信アプリの登録内容の確認画面を表示したり、ユーザ端末５に格納された各アプリの実行状況を表示したりする。
音声出力部５４は、音声情報をイヤホンに出力するための音声情報出力端子により構成される。
【００５５】
記憶部５５は、ＲＯＭ（Read Only Memory）、ＲＡＭ、フラッシュメモリ等により構成され、制御部５０の機能を実現するためのプログラムや、制御部５０によるデータ処理に必要な情報を記憶する。
【００５６】
制御部５０は、ユーザ端末５全体の制御を司り、通信制御部５１０と、位置情報取得部５２０と、アプリ実行部５３０と、音声プッシュ配信アプリ実行部５４０とを含んで構成される。
なお、この制御部５０は、例えば、記憶部５５に格納されたプログラムをＣＰＵがメインメモリであるＲＡＭに展開し実行することで実現される。
【００５７】
通信制御部５１０は、基地局４（Ｗｉ−Ｆｉアクセスポイントや３Ｇ基地局等）を介して、Ｗｉ−Ｆｉ等による無線ＬＡＮ通信や、３Ｇ等に基づく携帯電話回線網による通信を実現する。また、通信制御部５１０は、端末検知センサ３からの端末探索の情報を検知して、自身のユーザ端末５のユーザ端末識別情報（ＩＰアドレス等）を端末検知センサ３に送信する。
【００５８】
位置情報取得部５２０は、ＧＰＳやＷｉ−Ｆｉ等の測位技術を用いて、ユーザ端末５自身の位置情報を取得する。
【００５９】
アプリ実行部５３０は、ユーザ端末５に記憶されたアプリを実行する。例えば、音楽データ等の音声情報を、音声出力部５４を介して、イヤホンに出力し再生させたり、映像データを、表示部５３に表示させたりする等の、各種アプリを実行する。
【００６０】
音声プッシュ配信アプリ実行部５４０は、音声プッシュ配信サーバ１へのユーザ登録処理を行ったり、自身のユーザ端末５においてイヤホンが接続されているか否かを判定し、接続されていると判定した場合に、音声配信要求を音声プッシュ配信サーバ１に送信したりすることにより、音声情報のプッシュ配信（音声プッシュ配信サービス）を受ける機能を実現する。
この音声プッシュ配信アプリ実行部５４０は、ユーザ登録要求部５４１と、イヤホン接続判定部５４２と、配信音声情報処理部５４３とを備える。
【００６１】
ユーザ登録要求部５４１は、音声プッシュ配信アプリをダウンロードして実行すること等により起動され、ユーザを一意に特定するためのユーザＩＤやそのユーザ端末５に固有なユーザ端末識別情報（ＩＰアドレスや電話番号等）を含むユーザ登録情報を音声プッシュ配信サーバ１に送信する。具体的には、このユーザ登録要求部５４１は、ユーザ登録情報と、サービス開始の認証を行うためのサービス開始の確認ボタンとが表示された画面（ユーザ登録画面）を表示部５３に出力させる。そして、ユーザ登録要求部５４１は、ユーザがサービス開始の確認ボタンの押下したことの情報を入出力部５２を介して取得し、それを契機として、ユーザ登録情報を音声プッシュ配信サーバ１に送信する。
【００６２】
イヤホン接続判定部５４２は、音声プッシュ配信サーバ１からイヤホン接続判定要求を受信すると、自身のユーザ端末５の音声出力部５４（音声情報出力端子）にイヤホンが接続されているか否かを判定する。そして、イヤホン接続判定部５４２は、イヤホンが接続されていると判定した場合に、音声プッシュ配信サーバ１に向けて、音声情報の配信を要求する音声配信要求を送信する。
【００６３】
配信音声情報処理部５４３は、音声プッシュ配信サーバ１がプッシュ配信した音声情報を、ユーザの操作を要さず（自動で）ストリーミング再生したり、携帯電話回線網による配信の場合には、自動で着信したりすること等により、その音声情報を、音声出力部５４を介してイヤホンから出力する。この配信音声情報処理部５４３は、例えば、受信した音声情報を、他のアプリによりイヤホンを介して出力している音楽等の情報と併せてミキシングし、受信した音声情報が聴きやすいように、再生中の音楽等の音量を低下させて出力するようにしてもよいし、受信した音声情報を出力するときに、再生中の音楽等を一時停止して、受信した音声情報のみを出力するようにしてもよい。
【００６４】
＜処理の流れ＞
次に、本実施形態に係る音声プッシュ配信システム１０００の処理の流れについて詳細に説明する。
【００６５】
図７は、本実施形態に係る音声プッシュ配信システム１０００の処理の流れを示すシーケンス図である。なお、ここでは、音声プッシュ配信サーバ１の記憶部１３内に端末検知センサ情報２００（図５）が記憶され、クライアントが音声情報を配信したい特定エリアの識別情報２０１に対応付けて、その特定エリアに設置されている端末検知センサ３の端末検知センサＩＤ２０２とそのアドレス２０３とが格納されているものとする。また、音声プッシュ配信サーバ１とユーザ端末５との間で情報の送受信を行う基地局４については、図７のシーケンス図での記載を省略する。
【００６６】
まず、ユーザ端末５は、音声プッシュ配信アプリをアプリ配信サーバ（不図示）からダウンロードし、音声プッシュ配信アプリを実行することにより、音声プッシュ配信アプリ実行部５４０を起動させる。そして、ユーザ登録要求部５４１が、ユーザ登録画面を表示部５３に表示させることにより、サービス開始の認証（サービス開始の確認ボタンの押下情報の取得）を行い（ステップＳ１０１）、ユーザＩＤやユーザ端末識別情報（ＩＰアドレスや電話番号等）を含むユーザ登録情報を音声プッシュ配信サーバ１に送信する（ステップＳ１０２）。
【００６７】
ユーザ登録情報を受信した音声プッシュ配信サーバ１のユーザ登録部１２０は、受信したユーザ登録情報を、ユーザ登録情報ＤＢ１００（図４）に記憶する（ステップＳ１０３：ユーザ登録）。
【００６８】
次に、音声プッシュ配信サーバ１（配信情報取得部１３０）は、音声入力装置２等から、特定エリア内に発信する音声情報と当該特定エリアの識別情報とを含む配信情報を受信する（ステップＳ１０４）。
配信情報を取得した音声プッシュ配信サーバ１の配信情報取得部１３０は、取得した配信情報のうち特定エリアの識別情報を、配信先決定部１４０に出力する。
【００６９】
次に、音声プッシュ配信サーバ１の配信先決定部１４０は、端末検知センサ情報２００（図５）を参照して、特定エリアの識別情報２０１に対応する端末検知センサ３（端末検知センサＩＤ２０２）を抽出する（ステップＳ１０５）。そして、配信先決定部１４０は、抽出した端末検知センサ３のアドレス２０３を取得し、特定エリアの設置されている端末検知センサ３に向けて、その特定エリア内に位置するユーザ端末５の探索を要求する端末探索要求を送信する（ステップＳ１０６）。
【００７０】
端末検知センサ３の特定エリア内端末探索部３０は、自身が担当するエリア（特定エリア）内に位置するユーザ端末５に向けて端末探索の情報を発信することにより端末探索を実行する（ステップＳ１０７）。そして、特定エリア内端末探索部３０は、特定エリア内に位置するユーザ端末５から、ユーザ端末識別情報を受信することにより（ステップＳ１０８）、そのユーザ端末５が特定エリア内に位置することを検知する。続いて、端末検知センサ３は、特定エリア内に位置するユーザ端末５のユーザ端末識別情報を、音声プッシュ配信サーバ１に送信する（ステップＳ１０９）。
【００７１】
次に、音声プッシュ配信サーバ１の配信先決定部１４０は、端末検知センサ３から受信したユーザ端末識別情報に基づき、そのユーザ端末識別情報に示されるユーザ端末５が、ユーザ登録情報ＤＢ１００（図４）に登録されているか否かを判定し、登録されていると判定したユーザ端末５を抽出する（ステップＳ１１０）。続いて、配信先決定部１４０は、抽出したユーザ端末５に向けて、イヤホンが接続されているか否かの判定を要求するイヤホン接続判定要求を送信する（ステップＳ１１１）。
【００７２】
ユーザ端末５のイヤホン接続判定部５４２は、音声プッシュ配信サーバ１からイヤホン接続判定要求を受信すると、自身のユーザ端末５の音声出力部５４（音声情報出力端子）にイヤホンが接続されているか否かを判定する（ステップＳ１１２）。そして、イヤホン接続判定部５４２は、イヤホンが接続されていると判定した場合に、音声プッシュ配信サーバ１に向けて、音声情報の配信を要求する音声配信要求を送信する（ステップＳ１１３）。
【００７３】
音声プッシュ配信サーバ１の配信先決定部１４０は、イヤホンが接続されているユーザ端末５から送信されてきた音声配信要求を受信し、その音声配信要求を送信してきたユーザ端末５を配信先のユーザ端末５に決定する（ステップＳ１１４）。
【００７４】
そして、音声プッシュ配信サーバ１の音声プッシュ配信部１５０は、配信先決定部１４０が決定した配信先のユーザ端末５に向けて、配信情報取得部１３０が取得した音声情報をプッシュ配信する（ステップＳ１１５）。続いて、ユーザ端末５の配信音声情報処理部５４３は、音声プッシュ配信サーバ１がプッシュ配信した音声情報を、ユーザの操作を要さず自動でストリーミング再生したり、自動で着信したりすること（携帯電話回線網による配信の場合）等により、その音声情報を、音声出力部５４を介してイヤホンから出力する。
【００７５】
以上説明したように、本実施形態に係る音声プッシュ配信システム１０００および音声プッシュ配信方法によれば、車内、機内、店内等の特定エリア内のユーザに向けて発信される音声情報を、その特定エリア内に位置し、かつ、イヤホンが接続されているユーザ端末５に対してプッシュ配信することができる。
よって、ユーザは、イヤホンを装着したユーザ端末５において音楽等を聴いているときであっても、車内や機内、店内等のアナウンスを確実に聞くことができる。また、そのアナウンスを聞く際に、イヤホンをはずす手間をなくすことができる。これにより、車内や機内等で流れる緊急情報（故障や天候・事故による遅延情報、運行見合わせ情報等）や、店内にいる人のみに対する特別なサービス情報（店内のイベント開始情報や、時間限定のディスカウント情報等）を、イヤホンで音楽等を聴いていることにより聞き逃すことをなくすことができる。
【００７６】
なお、本実施形態に係る音声プッシュ配信システム１０００においては、特定エリア内に位置するユーザ端末５を、端末検知センサ３が端末探索することにより検知するものとした。しかしながら、本実施形態はこれに限定されず、例えば、ユーザ端末５が備える位置情報取得部５２０がＧＰＳにより位置情報を取得し、その位置情報を音声プッシュ配信サーバ１に送信することにより、音声プッシュ配信サーバ１の配信先決定部１４０が、特定エリア内に位置するユーザ端末５を検知するようにしてもよい。
【００７７】
［本実施形態の変形例］
次に、本実施形態に係る音声プッシュ配信システム１０００および音声プッシュ配信方法の変形例について説明する。
本実施形態に係る音声プッシュ配信システム１０００では、ユーザが音声プッシュ配信サーバ１にユーザ登録を行うと、ユーザ端末５は、特定エリアに位置し、かつ、イヤホンを接続している場合に、クライアント側（音声入力装置２）から発信される音声情報の内容に関係なくすべての音声情報を受信し、その再生を行う。しかしながら、車内や機内、店内において、イヤホンにより音楽等の音声情報を聴きながら移動するユーザは、ある特定エリアに位置する度に、繰り返し流される音声情報、例えば、電車内であれば、次の駅名や乗換え情報、機内や店内であれば、繰り返し発信されるサービスや商品等の宣伝情報等については、現時点でユーザが再生している音楽の再生を妨げてまで聞くまでの情報ではないと考えるケースも想定される。これに対し、天候の悪化・事故による電車遅延や運転見合わせ等の運行情報、地震や火事等の発生に伴う避難情報等の緊急情報は、イヤホンを装着しているユーザにとっても確実に聴きたい情報と考えられる。以上の点を踏まえ、本実施形態の変形例に係る音声プッシュ配信システム１０００では、音声情報の内容の種別に応じて、その音声情報を配信するか否かをユーザが予め選択できるようにする。
【００７８】
これを実現するため、本実施形態の変形例に係る音声プッシュ配信システム１０００では、ユーザがユーザ端末５において、音声プッシュ配信サービスのユーザ登録を行う際に、予め、すべての音声情報を受信するか、緊急情報のみを受信するか等の配信内容の種別を選択させる選択画面を表示させる。そして、音声プッシュ配信サーバ１では、ユーザ端末５からユーザにより選択された配信内容種別情報（第１の配信内容種別情報）（詳細は後記）をユーザ登録情報と共に受信し、ユーザ登録情報ＤＢ１００（変形例においては、ユーザ登録情報ＤＢ１００Ａ）に記憶しておく。また、音声プッシュ配信サーバ１は、音声入力装置２等から配信情報を受信する際に、その配信情報に含まれる音声情報に関する配信内容種別情報（第２の配信内容種別情報）を併せて受信する。そして、音声プッシュ配信サーバ１は、ユーザにより選択された配信内容種別情報と、受信した音声情報の配信内容種別情報が一致する場合に、その音声情報をユーザ端末５にプッシュ配信するようにする。
以下、本実施形態に係る音声プッシュ配信システム１０００との相違点について、具体的に説明する。なお、本実施形態の変形例に係る音声プッシュ配信システム１０００の全体構成は、図２に示した構成と同様であるので説明を省略し、各装置において本実施形態に係る各装置の構成と異なる部分について説明する。
【００７９】
≪変形例のユーザ端末≫
図８は、本実施形態の変形例に係るユーザ端末５Ａの構成例を示す機能ブロック図である。図６に示した本実施形態に係るユーザ端末５との違いは、図８に示すように、変形例においてはユーザ登録要求部５４１Ａとなっていることである。他の構成については、本実施形態に係るユーザ端末５と同様の機能を備えるため、同一の符号と同一の名称を付し、説明を省略する。
【００８０】
ユーザ登録要求部５４１Ａは、本実施形態に係るユーザ登録要求部５４１（図６）の機能に加え、ユーザ登録画面を表示部５３に表示する際に、配信内容の種別（配信内容種別情報）をユーザに選択させる機能を備える。例えば、以下の情報をユーザが選択できるようにする。
（１）すべての音声情報を受信（配信内容種別情報：「０」とする。）
（２）通常配信される音声情報とは異なる緊急の音声情報（緊急情報）のみ受信（配信内容種別情報：「１」とする。）
【００８１】
ユーザ登録要求部５４１Ａは、ユーザ登録情報を音声プッシュ配信サーバ１に送信する際に、ユーザにより選択された配信内容種別情報（第１の配信内容種別情報）を含めて送信する。
なお、このユーザ登録要求部５４１Ａの処理は、図７に示したシーケンス図においては、ステップＳ１０１，Ｓ１０２で行われる処理である。
【００８２】
≪変形例の音声プッシュ配信サーバ≫
図９は、本実施形態の変形例に係る音声プッシュ配信サーバ１Ａの構成例を示す機能ブロック図である。図３に示した本実施形態に係る音声プッシュ配信サーバ１との違いは、図９に示すように、変形例においては、ユーザ登録部１２０Ａ、配信情報取得部１３０Ａ、配信先決定部１４０Ａ、ユーザ登録情報ＤＢ１００Ａとなっていることである。他の構成については、本実施形態に係る音声プッシュ配信サーバ１と同様の機能を備えるため、同一の符号と同一の名称を付し、説明を省略する。
【００８３】
ユーザ登録部１２０Ａは、本実施形態に係るユーザ登録部１２０（図３）の機能に加え、ユーザ端末５からユーザ登録情報を取得する際に、配信内容種別情報（第１の配信内容種別情報）を併せて受信し、その配信内容種別情報をユーザ登録情報とともに、ユーザ登録情報ＤＢ１００Ａ（図１０）に記憶する。
なお、このユーザ登録部１２０Ａの処理は、図７で示したシーケンス図においては、ステップＳ１０３で行われる処理である。
【００８４】
図１０は、本実施形態の変形例に係るユーザ登録情報ＤＢ１００Ａのデータ構成例を示す図である。図１０に示すように、ユーザ登録情報ＤＢ１００Ａには、各ユーザのユーザＩＤ１０１に対応付けて記憶される情報として、アドレス１０２、電話番号１０３に加え、配信内容種別情報１０４（第１の配信内容種別情報）が追加される。
ここで、配信内容種別情報１０４は、前記したように、例えば、「０」がすべての音声情報の受信を示し、「１」が通常配信される音声情報とは異なる緊急の音声情報（緊急情報）のみの受信を示す。
【００８５】
図９に戻り、配信情報取得部１３０Ａは、音声入力装置２等から、特定エリア内に発信しる音声情報と当該特定エリアの識別情報とに加え、配信内容種別情報（第２の配信内容種別情報）を含んだ配信情報を取得する。なお、この配信情報取得部１３０Ａの処理は、図７で示したシーケンス図においては、ステップＳ１０４で行われる処理である。そして、配信情報取得部１３０Ａは、取得した配信情報のうち特定エリアの識別情報を、配信先決定部１４０Ａに出力する。
【００８６】
この配信情報取得部１３０Ａが音声入力装置２等から取得する配信内容種別情報（第２の配信内容種別情報）は、ユーザ端末５から送信される配信内容種別情報（第１の配信内容種別情報）の種別と同様の配信内容の種別が示される。つまり、すべての音声情報をユーザ端末５に配信するものとして配信内容種別情報「０」が付され、音声プッシュ配信サーバ１Ａに送信される。一方、通常発信される音声情報とは異なる緊急の音声情報の場合は、配信内容種別情報「１」が付され、音声プッシュ配信サーバ１Ａに送信される。なお、本実施形態の変形例に係る音声入力装置２に、例えば、この配信内容種別情報（第２の配信内容種別情報）の選択ボタンを備えさせ、通常の音声情報については、選択ボタンを押さなくても初期値として配信内容種別情報「０」を付して送信するようにし、緊急の音声情報の場合については、選択ボタンが乗務員等に押されることによりその情報を検知して配信内容種別情報「１」を付して送信するようにしてもよい。
【００８７】
配信先決定部１４０Ａは、本実施形態に係る配信先決定部１４０の機能に加え、端末検知センサ３から特定エリア内に位置するユーザ端末５のユーザ端末識別情報を受信し、そのユーザ端末識別情報に示されるユーザ端末５が、ユーザ登録情報ＤＢ１００に登録されているか否かを判定し、登録されているユーザ端末５を抽出する処理の後に、次の処理を追加して実行する。
【００８８】
配信先決定部１４０Ａは、抽出したユーザ端末５毎に、ユーザ登録情報ＤＢ１００Ａを参照し、配信内容種別情報１０４を取得する。そして、配信先決定部１４０Ａは、ユーザが登録した配信内容種別情報１０４（第１の配信内容種別情報）と、配信情報取得部１３０Ａが取得した配信情報に含まれる配信内容種別情報（第２の配信内容種別情報）とを比較し、配信内容種別情報が一致（内容として一致）した場合に、そのユーザ端末５を配信対象のユーザ端末５として選択する。例えば、配信先決定部１４０Ａは、ユーザが登録した配信内容種別情報が「１」の緊急情報であり、音声入力装置２から送信された配信情報に付された配信内容種別情報が「１」である場合には、当該ユーザ端末５を配信対象として選択する。一方、配信先決定部１４０Ａは、ユーザが登録した配信内容種別情報が「１」の緊急情報であり、音声入力装置２から送信された配信情報に付された配信内容種別情報が「０」である場合には、当該ユーザ端末５を配信対象として選択しないようにする。但し、配信先決定部１４０Ａは、ユーザが登録した配信内容種別情報がすべての音声情報の受信を示す「０」であり、音声入力装置２から送信された配信情報に付された配信内容種別情報が「１」である場合にも、当該ユーザ端末５を配信対象として選択する。つまり、本実施形態における「配信内容種別情報の一致」とは、単純な一致ではなく、設定された種別の内容を考慮して一致することを意味する。
【００８９】
そして、配信先決定部１４０Ａは、選択したユーザ端末５に向けて、イヤホンが接続されているか否かの判定を要求するイヤホン接続判定要求を送信する。
なお、この配信先決定部１４０Ａの処理は、図７で示したシーケンス図においては、ステップＳ１１０で行われる処理である。
【００９０】
このようにすることで、本実施形態の変形例に係る音声プッシュ配信システム１０００および音声プッシュ配信方法によれば、音声情報の内容の種別に応じて、その音声情報の配信を受けるか否かをユーザが予め選択することできる。よって、ユーザが不要と考える緊急情報以外の音声情報については、音声プッシュ配信サーバ１から配信させず、緊急の音声情報についてユーザ端末５にプッシュ配信させることができる。
【００９１】
なお、本実施形態の変形例に係る音声プッシュ配信システム１０００においては、配信内容種別情報として、すべての音声情報の受信を示す「０」と、緊急の音声情報の受信を示す「１」と、を例として説明したが、さらに細かい配信内容種別情報を設定するようにしてもよい。例えば、サービスや商品等の宣伝情報および緊急情報の場合について、音声情報を受信する配信内容種別情報の種別として「２」を設けるようにする。このようにすることで、通常その位置おいて配信される音声情報は配信されず、宣伝情報や緊急情報に限って、ユーザ端末５に音声情報を受信させることができる。
【符号の説明】
【００９２】
１，１Ａ  音声プッシュ配信サーバ
２      音声入力装置
３      端末検知センサ
４      基地局
５，５Ａ  ユーザ端末
１０，５０  制御部
１１，５１  通信部
１２，５２  入出力部
１３，５５  記憶部
３０    特定エリア内端末探索部
５３    表示部
５４    音声出力部
１００，１００Ａ  ユーザ登録情報ＤＢ
１１０  入力情報処理部
１２０，１２０Ａ  ユーザ登録部
１３０，１３０Ａ  配信情報取得部
１４０，１４０Ａ  配信先決定部
１５０  音声プッシュ配信部
１６０  出力情報処理部
２００  端末検知センサ情報
５１０  通信制御部
５２０  位置情報取得部
５３０  アプリ実行部
５４０  音声プッシュ配信アプリ実行部
５４１，５４１Ａ  ユーザ登録要求部
５４２  イヤホン接続判定部
５４３  配信音声情報処理部
１０００  音声プッシュ配信システム
【図１】
2015191399.tif 000003
【図２】
2015191399.tif 000004
【図３】
2015191399.tif 000005
【図４】
2015191399.tif 000006
【図５】
2015191399.tif 000007
【図６】
2015191399.tif 000008
【図７】
2015191399.tif 000009
【図８】
2015191399.tif 000010
【図９】
2015191399.tif 000011
【図１０】
2015191399.tif 000012